(57)【特許請求の範囲】
【請求項１】
複数原稿を連続して読取るための複数原稿読取部と、読取られた画データの蓄積部と、前記複数原稿読取部での原稿詰まりを検出する検出手段と、原稿詰まりが検出されたとき、それ以前の画データを前記蓄積部に保存させるとともに原稿の読取再開後に読取られた画データを原稿詰まり以前の画データに続けて前記蓄積部に蓄積させる制御手段と、フラットベッド読取部とを備え、
前記複数原稿読取部での原稿詰まりの発生後に、前記複数原稿読取部または前記フラットベッド読取部を選択して、原稿の読取りを再開できるようにした画像読取蓄積装置。
【請求項２】
前記制御手段は、原稿詰まりが発生した時に、原稿詰まり発生ページ数または正しく保存された最終ページ数を表示部上に表示させる請求項１に記載の画像読取蓄積装置。
【発明の詳細な説明】
【０００１】
【発明の属する技術分野】
この発明は、例えば複写機やファクシミリ装置において、原稿上の画像を読取って蓄積する画像読取蓄積装置に関するものである。
【０００２】
【従来の技術】
複数原稿の自動読取部を備えた画像読取蓄積装置においては、複数ページの原稿を連続的に読取って、画像メモリ等の蓄積部に蓄積するようになっている。そして、従来の画像読取蓄積装置においては、原稿の読取蓄積動作の途中で、読取部に原稿詰まりが発生した場合には、蓄積部に途中ページまで蓄積されている原稿画像が、すべて消去されるようになっていた。
【０００３】
【発明が解決しようとする課題】
そのため、この従来の画像読取蓄積装置においては、原稿詰まりを解消した後、原稿の読取りを再開する際に、最初のページの原稿から読取蓄積をし直す必要があって、手間がかかるという問題があった。
【０００４】
また、自動読取部で原稿詰まりが発生した場合には、詰まった原稿は皺を生じているため、再度読取りの際にも詰まりやすい。このため、このような場合には、詰まった原稿をコピーして、そのコピー原稿を再読取りするという面倒さを要求された。
【０００５】
この発明は、このような従来の技術に存在する問題点に着目してなされたものである。その目的とするところは、原稿詰まりの発生後に、原稿の読取りを再開する場合、最初ページの原稿から読取蓄積し直す必要がない画像読取蓄積装置を提供することにある。
【０００６】
【課題を解決するための手段】
上記の目的を達成するために、請求項１に記載の画像読取蓄積装置の発明では、複数原稿を連続して読取るための複数原稿読取部と、読取られた画データの蓄積部と、前記複数原稿読取部での原稿詰まりを検出する検出手段と、原稿詰まりが検出されたとき、それ以前の画データを前記蓄積部に保存させるとともに原稿の読取再開後に読取られた画データを原稿詰まり以前の画データに続けて前記蓄積部に蓄積させる制御手段と、フラットベッド読取部とを備え、前記複数原稿読取部での原稿詰まりの発生後に、前記複数原稿読取部または前記フラットベッド読取部を選択して、原稿の読取りを再開できるようにしたものである。
【０００７】
請求項２に記載の発明では、請求項１に記載の画像読取蓄積装置において、制御手段は、原稿詰まりが発生した時に、原稿詰まり発生ページ数または正しく保存された最終ページ数を表示部上に表示させるものである。
【０００９】
【発明の実施の形態】
以下に、この発明をコピー・ファクシミリ複合機に具体化した一実施形態を、図面に基づいて説明する。
【００１０】
図１に示すように、この複合機の装置本体１１には、原稿給送部１２と、原稿載置部１３と、読取部１４と、カット紙供給部１５と、記録部１７と、カット紙排出部１８とが装設されている。
【００１１】
図１及び図２に示すように、前記原稿給送部１２は、原稿２１を載置する原稿台２２と、原稿２１を１枚ずつ分離供給する分離ローラ２３と、分離された原稿２１を給送する複数の給送ローラ２４と、上面を原稿２１が通過する透光板２５と、排出された原稿２１をストックする原稿排出台２６とを備えている。
【００１２】
原稿有無センサ２７は前記原稿台２２に対向配置され、原稿台２２上に原稿２１が載置されているときに検出信号を出力する。原稿詰まり検出手段としての原稿排出センサ２８は原稿排出台２６に対向配置され、原稿排出台２６上へ原稿２１が排出されたときに検出信号を出力する。
【００１３】
前記原稿載置部１３は、上面に原稿２１を載置するための透明な原稿載置板３１と、その原稿載置板３１上に開閉回動可能に配設された押え蓋３２とを備えている。そして、前記原稿給送部１２の原稿台２２及び原稿排出台２６は、この原稿載置部１３の押え蓋３２上に配設され、押え蓋３２と一体的に開閉回動されるようになっている。
【００１４】
図１及び図２に示すように、前記読取部１４は、透光板２５上を通過する原稿２１または原稿載置板３１上に載置された原稿２１に光を照射する光源３７と、原稿２１からの反射光の光路を変更する第１〜第３ミラー３８，３９，４０と、光源３７及び第１〜第３ミラー３８，３９，４０を移動させるための移動機構４１とを備えている。さらに、読取部１４は、第３ミラー４０からの光を収束させる集光レンズ４２と、その集光レンズ４２を通して入射した光に基づき原稿２１上の画像を読取る撮像素子（ＣＣＤ）４３とを備えている。
【００１５】
前記移動機構４１は、左右一対の大径プーリ４４，４５と、左右一対の小径プーリ４６，４７と、大径プーリ４４，４５間に掛装された第１ベルト４８と、小径プーリ４６，４７間に掛装された第２ベルト４９とを備えている。さらに、移動機構４１は、第１ベルト４８に連結された第１キャリッジ５０と、その第２ベルト４９に連結された第２キャリッジ５１と、ステップモータ５２とを備えている。
【００１６】
前記大径プーリ４４，４５の直径は小径プーリ４６，４７の直径の２倍となるように形成されている。また、左側の大径プーリ４４と小径プーリ４６とは、同一軸線上で一体回転可能に連結されて、ステップモータ５２に作動連結されている。さらに、第１キャリッジ５０上には光源３７及び第１ミラー３８が支持され、第２キャリッジ５１上には第２ミラー３９及び第３ミラー４０が支持されている。
【００１７】
そして、ステップモータ５２にて大径プーリ４４，４５及び小径プーリ４６，４７が回転されることにより、第１及び第２ベルト４８，４９を介して、第１及び第２キャリッジ５０，５１が移動される。このとき、第１キャリッジ５０は第２キャリッジ５１の２倍の移動速度で移動される。それにより、両キャリッジ５０，５１は図１に示すように、中間の待機位置Ｐ１と、透光板２５の直下に対向位置する第１原稿読取位置Ｐ２と、原稿載置板３１の基準端３１ａの直下に対向位置する第２原稿読取位置の開始点Ｐ３とに移動配置される。
【００１８】
また、前記原稿給送部１２と読取部１４とにより複数原稿自動読取部（ＡＤＦ）が構成され、キャリッジ５０，５１が第１原稿読取位置Ｐ２に移動配置された状態で、透光板２５上を通過する原稿２１の画像が読取られる。さらに、原稿載置部１３と読取部１４とによりフラットベッド読取部（ＦＢＳ）が構成され、キャリッジ５０，５１が第２原稿読取位置の開始点Ｐ３に移動配置された後に、終了点Ｐ４に向かって移動されて、原稿載置板３１上に載置された原稿２１の画像が読取られる。
【００１９】
図１及び図２に示すように、読取位置センサ５３は前記原稿載置板３１の基準端３１ａの下部に配設され、キャリッジ５０，５１が第２原稿読取位置の開始点Ｐ３に移動されたときに検出信号を出力する。
【００２０】
図１に示すように、前記カット紙供給部１５は、所定サイズのカット紙５６を積層状態で収容した複数（この実施形態では２つ）の給紙カセット５７と、各給紙カセット５７内のカット紙５６を１枚ずつ記録部１７に向けて給送する給紙ローラ５８と、カット紙５６の給送を案内するガイド板５９とを備えている。なお、各給紙カセット５７内にはサイズの異なるカット紙５６が収容されている。
【００２１】
前記記録部１７は、感光ドラム６８と、その感光ドラム６８の表面を所定電位に一様に帯電させる帯電器６９と、感光ドラム６８上に画像の静電潜像を形成する露光器７０と、感光ドラム６８上の静電潜像にトナーを供給してその潜像を顕像化する現像器７１とを備えている。さらに、記録部１７は、感光ドラム６８に対してカット紙５６を給送する給送ローラ７２と、トナー画像を感光ドラム６８上からカット紙５６上に転写させる転写器７３と、カット紙５６上のトナー画像を加熱定着させる加熱定着器７４とを備えている。
【００２２】
前記カット紙排出部１８は、記録済みのカット紙５６を排出する排紙ローラ７７と、カット紙５６の排出を案内するガイド板７８と、排出されたカット紙５６をストックする排紙トレイ７９とを備えている。
【００２３】
次に、前記のように構成されたコピー・ファクシミリ複合機の回路構成について説明する。図３に示すように、中央処理装置（ＣＰＵ）８２は、複合機の各部の動作を制御する。リードオンリメモリ（ＲＯＭ）８３は、複合機の動作に必要な各種の制御プログラムを記憶している。ランダムアクセスメモリ（ＲＡＭ）８４は、制御プログラムの実行に伴って得られたデータ等を一時的に記憶する。そして、このＣＰＵ８２、ＲＯＭ８３及びＲＡＭ８４により、制御手段が構成されている。
【００２４】
前記原稿有無センサ２７及び原稿排出センサ２８は、ＣＰＵ８２に検出信号を出力する。読取部１４は、透光板２５または原稿載置板３１を介して原稿２１上の画像を読取って、白黒２値のイメージデータをＣＰＵ８２に出力する。画像蓄積部としての画像メモリ８５は、受信画データや読取部１４で読取られた画データを一時的に記憶する。記録部１７は、受信画データや読取部１４で読取られた画データをカット紙５６等に記録する。
【００２５】
表示部８６は液晶表示パネルやＬＥＤを備え、例えば「コピーモード」、「通信モード」、「待機中」、「機器異常」のように、装置の動作状態等の各種情報を表示する。操作部８７は、コピー／通信キー８７ａ、スタートキー８７ｂ等の各種操作キーを備えている。コピー／通信キー８７ａは、コピーモードを実行させるか、ファクシミリ通信モードを実行させるかを選択する場合に操作する。スタートキー８７ｂは、コピー動作やファクシミリ通信動作を開始させる場合に操作する。
【００２６】
モデム８８は、送受信データの変調及び復調を行うものである。ネットワークコントロールユニット（ＮＣＵ）８９は、電話回線Ｌ１の閉結及び開放を制御するとともに、相手先のファックス番号に対応したダイヤルパルスの送出及び着信を検出する機能等を備えている。
【００２７】
そして、前記ＣＰＵ８２は、複数原稿自動読取部での読取動作中に、原稿台２２上からの原稿２１の給送が開始された後に所定時間を経過しても、原稿排出センサ２８から検出信号を入力しない場合に、原稿詰まりが発生したものと判断する。また、ＣＰＵ８２は、複数原稿自動読取部で原稿詰まりが発生した場合、その詰まり発生前に画像メモリ８５に蓄積された原稿画像を、消去することなくそのまま保存させる。
【００２８】
さらに、ＣＰＵ８２は表示部８６に、「原稿詰まり発生、Ｎページから再セットして下さい」のように、詰まり発生ページ数Ｎを表示させる。これとともに、ＣＰＵ８２は表示部８６に、正しく保存された最終ページＮ−１の原稿画像を表示させる。
【００２９】
しかも、ＣＰＵ８２は、前記原稿詰まりの解消後に、原稿の読取りが再開されたときには、その原稿画像の画データを画像メモリ８５に続けて蓄積させる。また、この原稿の読取再開時には、複数原稿自動読取部またはフラットベッド読取部を選択して、原稿２１をセットできるようになっている。
【００３０】
次に、この実施形態のコピー・ファクシミリ複合機において、複数原稿自動読取部（ＡＤＦ）により原稿２１の読取蓄積を行う場合の動作について、図４に示すフローチャートに基づいて説明する。なお、このフローチャートは、ＲＯＭ８３に記憶されている制御プログラムに基づいて、ＣＰＵ８２の制御のもとで進行する。
【００３１】
さて、原稿給送部１２の原稿台２２上に複数の原稿２１を載置した後、スタートスイッチ８７ｂを押下操作すると、読取部１４のキャリッジ５０，５１が、待機位置Ｐ１から透光板２５と対応する第１原稿読取位置Ｐ２に移動配置されるとともに、原稿台２２上の原稿２１が１ページずつ透孔板２５上に連続的に給送され、原稿画像が読取部１４により読取られ、その読取られた原稿画像の画データが画像メモリ８５に蓄積される（Ｓ１）。この原稿の読取動作中に、原稿排出センサ２８により原稿詰まりが検出されると（Ｓ２）、原稿詰まりを生じたページの画データが消去されるとともに、その詰まり発生以前の画データが、消去されることなくそのまま記憶部１７に保存され、さらに、原稿詰まりを発生したページ数ＮがＲＡＭ８４に保存される（Ｓ３）。
【００３２】
次に、表示部８６に、「原稿詰まり発生、Ｎページから再セットして下さい」のように、詰まり発生ページ数Ｎが表示される（Ｓ４）。そして、表示部８６に、正しく保存された最終ページＮ−１の原稿画像が表示される（Ｓ５）。
【００３３】
その後、操作者により原稿詰まりが解消されて、原稿２１が原稿給送部１２の原稿台２２または原稿載置部１３の原稿載置板３１上に載置される（Ｓ６）。このとき、詰まりを発生した原稿２１にしわ等が生じている場合には、その原稿２１を原稿載置板３１上に載置すれば、再度原稿詰まりを発生するおそれはない。そして、この状態でスタートスイッチ８７ｂが押下操作されると（Ｓ７）、原稿有無センサ２７等の検出により、原稿２１が原稿台２２または原稿載置台３１のいずれにセットされているかが判別される（Ｓ８）。
【００３４】
このＳ８の判別において、原稿２１が原稿台２２上に載置されている場合には、前記Ｓ１に戻り、読取部１４のキャリッジ５０，５１が、待機位置Ｐ１から透光板２５と対応する第１原稿読取位置Ｐ２に移動配置されて、原稿２１の読取りと、画データの蓄積とが再開される。これに対して、原稿２１が原稿載置板３１上に載置されている場合には、読取部１４のキャリッジ５０，５１が、待機位置Ｐ１から原稿載置板３１の基準端３１ａと対応する第２原稿読取位置の開始点Ｐ３に移動配置されて（Ｓ９）、原稿２１の読取りと、画データの蓄積とが再開されてる（Ｓ１０）。
【００３５】
そして、Ｓ１またはＳ１０における原稿２１の読取り動作が再開に際しては、その原稿画像の画データが画像メモリ８５に続けて原稿詰まり発生前の画データに続いて蓄積される。
【００３６】
また、前記Ｓ２において原稿詰まりを発生しない場合には、次原稿が有るか否かが判別され（Ｓ１１）、次原稿が存在する間はＳ１，Ｓ２及びＳ１１の動作を繰り返して、原稿２１の読取り蓄積動作が繰り返し行われる。そして、次原稿がなくなった時点で処理が終了する。
【００３７】
前記の実施形態によって期待できる効果について、以下に記載する。
・この実施形態の画像読取蓄積装置では、複数原稿自動読取部（ＡＤＦ）で原稿２１を読取って、その画データを蓄積部としての画像メモリ８５に蓄積している途中で、センサ２８により原稿詰まりの発生が検出されると、その詰まり発生以前の画データが消去されることなく画像メモリ８５に保存される。そして、原稿詰まりの解消後に原稿２１の読取りを再開した場合、再開後の画データが画像メモリ８５に続けて蓄積されるようになっている。
【００３８】
このため、原稿詰まりの発生後に、原稿２１の読取りを再開する場合、最初ページの原稿２１から読取蓄積し直す必要がなく、時間や手間を短縮することができる。
【００３９】
・この実施形態の画像読取蓄積装置では、前述した原稿詰まりの発生が検出されると、表示部８６には、詰まり発生ページ数Ｎが表示される。
このため、原稿詰まりの発生後に、原稿２１の読取りを再開する場合、表示部８６のページ数表示に基づいて、読取再開ページ数を容易かつ正確に判別することができ、そのための手間を省くことができる。
【００４０】
・この実施形態の画像読取蓄積装置では、複数原稿自動読取部（ＡＤＦ）に加えてフラットベッド読取部（ＦＢＳ）が装備され、複数原稿自動読取部での原稿詰まりの発生後に、複数原稿自動読取部またはフラットベッド読取部を選択して、原稿２１の読取りを再開できるようになっている。このため、複数原稿自動読取部で詰まりを発生した原稿２１にしわ等が生じている場合には、その原稿２１をフラットベッド読取部で読取ることができて、再び原稿詰まりが発生するおそれを防止することができる。
【００４１】
・この実施形態の画像読取蓄積装置では、原稿詰まりの発生時に表示部８６に対し、前記ページ数とともに、正しく保存された最終ページの原稿画像が表示されるようになっている。このため、原稿詰まりの発生後に、原稿２１の読取りを再開する場合、表示部８６の原稿画像表示に基づいて、読取再開原稿を間違いなく判別することができる。
【００４２】
なお、前記実施形態は、次のように変更して具体化することも可能である。
・前記実施形態では、ステップＳ４において、「原稿詰まり発生、Ｎページから再セットして下さい」のように、詰まり発生ページ数Ｎが表示されるようになっている。これに替えて、「原稿詰まり発生、Ｎ−１ページまでは正しくメモリされています」のように、正しく保存された最終ページ数Ｎ−１を表示させるように構成すること。このように構成しても、原稿詰まりの発生後に、原稿２１の読取りを再開する場合、表示部８６のページ数表示に基づいて、読取再開ページ数を容易かつ正確に判別することができる。
【００４３】
・原稿詰まりの発生を検出する検出手段を適宜に変更すること。例えば、原稿詰まりを検出する専用の検出手段を設けること。
さらに、前記実施形態から把握される技術的思想は以下の通りである。
【００４４】
前記制御手段は、原稿詰まりの発生時に表示部に対し、前記ページ数とともに、正しく保存された最終ページの原稿画像を表示させる請求項１または請求項２に記載の画像読取蓄積装置。
【００４５】
【発明の効果】
この発明は、以上のように構成されているため、次のような効果を奏する。
請求項１に記載の発明によれば、原稿詰まりの発生後に、原稿の読取りを再開する場合、最初ページの原稿から読取蓄積し直す必要がなく、手間や時間を短縮することができる。さらに、複数原稿自動読取部で詰まりを発生した原稿にしわ等が生じている場合には、その原稿をフラットベッド読取部で読取ることができて、複数原稿自動読取部に再び原稿詰まりが発生するおそれを防止することができる。
【００４６】
請求項２に記載の発明によれば、原稿詰まりの発生後に、原稿の読取再開ページ数を、表示部の表示に基づいて容易かつ正確に判別することができる。
【図面の簡単な説明】
【図１】この発明を具体化した複合機の一実施形態を示す断面図。
【図２】その画像読取蓄積装置を拡大して示す要部断面図。
【図３】複合機の回路構成を示すブロック図。
【図４】原稿の読取蓄積動作を示すフローチャート。
【符号の説明】
１１…装置本体、１２…原稿給送部、１３…原稿載置部、１４…読取部、１７…記録部、２１…原稿、２２…原稿台、２５…透光板、２７…原稿有無センサ、２８…原稿詰まり検出手段を構成する原稿排出センサ、３１…原稿載置板、３７…光源、４３…撮像素子、８２…制御手段を構成するＣＰＵ、８３…制御手段を構成するＲＯＭ、８４…制御手段を構成するＲＡＭ、８５…画像蓄積部を構成する画像メモリ、８６…表示部。
【図１】
0003562201.tif 000002
【図２】
0003562201.tif 000003
【図３】
0003562201.tif 000004
【図４】
0003562201.tif 000005